(57)【要約】      （修正有）【課題】転動型のスライド構造を有する転動型スライド構造において、転動ボールの径を変化させることによって、簡便な構造でスライドさせるために必要なスライド荷重を自由に制御することができるとともに、軽快なスライド感と高級感のある重厚なスライド感を両立させることができる携帯用端末装置を提供する。【解決手段】スライド機構は、複数のボールが組み込まれ筐体の長手方向の左右に配設されるボールアンドリテーナと、下筐体の筐体枠に固定され、ボールをガイドするためのＭガイド２１０と、上筐体の筐体枠に固定され、Ｍガイド２１０の反対方向から各ボールをガイドするためのＲガイド２２０と、から構成され、上筐体及び下筐体を接合し、各筐体の長手方向に沿って当該各筐体を相互にスライドさせる。【選択図】図２７
2008252801.tif 000002
【特許請求の範囲】
【請求項１】
上筐体と、
下筐体と、
前記上筐体と前記下筐体を連結させて一方向にスライドさせるスライド機構と、を備え、
前記スライド機構が、
前記スライドする際に転動し、径の種類が異なる複数の転動ボールと、
前記各転動ボールを転動自在に保持する保持部材と、
前記上筐体に固定され、前記転動ボールの転動をガイドするための上筐体用ガイド部材と、
前記下筐体に固定され、前記転動ボールの転動をガイドするための下筐体用ガイド部材と、を有し、
前記各転動ボールが前記上筐体用ガイド部材及び下筐体用ガイド部材にて狭持されることを特徴とする携帯用端末装置。
【請求項２】
請求項１に記載の携帯用端末装置において、
前記スライド機構が、前記各筐体がスライドする際にスライドする方向と同一方向に移動自在であって、何れか一方のガイド部材を支持する回転体を有する支持部材を更に備える、携帯用端末装置。
【請求項３】
請求項２に記載の携帯用端末装置において、
前記支持部材が、前記回転体を支持する弾性体を更に備える、携帯用端末装置。
【発明の詳細な説明】
【技術分野】
【０００１】
本発明は、携帯用端末装置に関し、更に詳しくは、スライド構造に特徴を有する携帯用端末装置に関する。
【背景技術】
【０００２】
近年、携帯通信端末装置において、操作性及びデザイン性の両観点からスライド機構を有するものが注目されつつある。
【０００３】
従来、このようなスライド機構を有する携帯通信端末装置においては、液晶表示部などの表示面を有する上筐体とテンキーやキーボートなどの操作面を有する下筐体から構成され、上筐体を摺動（スライド）させると、下筐体の前面、すなわち、操作面が上筐体の背面から操作可能に出現させるスライド機構を有するものが知られている。
【０００４】
例えば、このような携帯通信端末装置は、上下筐体に設けられた各スライド溝をスライド接続用部材で係合させた構造を有するとともに、ガイド本体に挿通するバネ部材及びスライド接続用部材の接合部を介したスライド力緩和手段を有し、スライド移動を可能としている（例えば、特許文献１を参照）。
【０００５】
一方、上述のスライド構造では、円滑な摺動を確保するためにスライド接続用部材と筐体の間には一定以上のクリアランスが必要となり、上下筐体間には必ずガタつきが発生する場合もある。また、このスライド構造は摺動する構造を有するため、摺りあわせによる磨耗の発生も懸念される。
【０００６】
そこで、ガイドレールとボールとボール保持具を用いた転動型のスライド構造を有することによって、上下筐体の勘合隙間を極限まで小さくすることにより、円滑なスライド感とガタつきのない剛性感の両立を実現する方法がある。また、ガイドレールを所望の曲率に湾曲させることによって開状態では表示面と操作面に一定角度を設けることで視認性及び操作性の向上を図ることが可能となる。
【特許文献１】特開２００６―２４６３５３号公報
【発明の開示】
【発明が解決しようとする課題】
【０００７】
しかしながら、転動型スライド構造にあっては、スライドさせる際の操作感（以下、「スライド感」ともいう。）が一定であり、ユーザの感じる感触をスライド状態に合わせて変化させることが難しい。
【０００８】
その一方、特許文献１に記載のスライド構造にあっては、ラックとピニオンからダンパ機構へスライド力を伝えることによってスライド質感を変えているものの、スライド開始と終了の前後にてその操作感に変化を与えるのみであり、そのダンパ効果はスライド全域に同等に発生するためスライド位置に係らず常に同じ質感になる。
【０００９】
また、スライド終始端にゴム等のダンパ材を配してスライドによる衝撃を緩和する方法もあるが、同様にスライド中のユーザの感触を変えることは難しい。
【００１０】
本発明は、上記課題を解決するためになされたものであって、その目的は、ガイドレールとボールとボール保持具を用いた転動型のスライド構造を有する転動型スライド構造において、転動ボールの径を変化させることによって、簡便な構造でスライドさせるために必要な荷重（以下、「スライド荷重」という。）を自由に制御することができるとともに、軽快なスライド感と高級感のある重厚なスライド感を両立させることができる携帯用端末装置を提供することにある。
【課題を解決するための手段】
【００１１】
上記の課題を解決するために、請求項１に記載の発明は、上筐体と、下筐体と、前記上筐体と前記下筐体を連結させて一方向にスライドさせるスライド機構と、を備え、前記スライド機構が、前記スライドする際に転動し、径の種類が異なる複数の転動ボールと、前記各転動ボールを転動自在に保持する保持部材と、前記上筐体に固定され、前記転動ボールの転動をガイドするための上筐体用ガイド部材と、前記下筐体に固定され、前記転動ボールの転動をガイドするための下筐体用ガイド部材と、を有し、前記各転動ボールが前記上筐体用ガイド部材及び下筐体用ガイド部材にて狭持される構成を有している。
【００１２】
この構成により、請求項１に記載の発明は、任意のスライド位置において一意的にその位置が決まるボール径を変化させることができるので、転動ボールを狭持する少なくとも一つのガイド部材が元の状態、すなわち、転動ボールを狭持する前の形状に戻ろうとする力を示す復元力を変化させ、当該ガイド部材における転動ボールへの圧力を変化させることができる。
【００１３】
通常、筐体をスライドさせた際にユーザが感じる指標の一つとして用いられるスライド荷重は、各転動ボールと各ガイド部材の接点に加わる荷重、すなわち、転動ボールが受けている加圧力（以下、「与圧」ともいう。）と転動ボールの径によって決まる転がり抵抗に相関する。また、下筐体に対して上筐体をスライドさせると転動ボールは転動するため、任意のスライド位置におけるボール位置は、各ガイド部材に対して一対一にて定まることとなる。
【００１４】
したがって、請求項１に記載の発明は、転動ボールの径を大きくすれば転動ボールへの与圧を大きくさせ、スライド荷重を大きくすることができるとともに、逆に転動ボールの径を小さくすれば、スライド荷重を小さくなることができるので、例えば、転動ボールの径を大から徐々に小、小から徐々にスライド方向に沿って変化させれば、スライドを開始した際には重く、スライドが進むにつれて徐々に軽くなり、中央付近を過ぎると再び徐々に重くなるといったスライド感をユーザに提供することができる。
【００１５】
この結果、請求項１に記載の発明は、転動ボールの径を変化させることによって、特別な構造を付加することなく、簡便な構造で任意のスライド位置におけるスライド荷重を自由に制御することができるとともに、軽快なスライド感と高級感のある重厚なスライド感を両立させることができる。
【００１６】
また、請求項２に記載の発明は、請求項１に記載の携帯用端末装置において、前記スライド機構が、前記各筐体がスライドする際にスライドする方向と同一方向に移動自在であって、何れか一方のガイド部材を支持する回転体を有する支持部材を更に備える構成を有している。
【００１７】
この構成により、請求項２に記載の発明は、転動ボールと回転体を利用することによってスライド時に加わる転動ボールへの負荷を分散することができ、本来、スライド荷重を制御する機能を有していなかったスライド機構にスライド荷重制御機能を持たせることができるので、特別な構造を付加することなく、簡便な構造で任意のスライド位置におけるスライド荷重を自由且つ連続的に制御することが可能となる。
【００１８】
また、請求項３に記載の発明は、請求項２に記載の携帯用端末装置において、前記支持部材が、前記回転体を支持する弾性体を更に備える構成を有している。
【００１９】
この構成により、請求項３に記載の発明は、例えば、弾性体にばね（コイルばね、板ばね等）を用いれば、そのばね係数を、また、弾性体にエラストマを用いれば、その厚み、硬度（弾性率）、面積に基づいて、転動ボールにおける与圧を制御することができきるので、ガイド部材のみによって与圧を制御する場合に比べ、容易に与圧制御が可能となる。
【発明の効果】
【００２０】
本発明の携帯用端末装置によれば、転動ボールの径を変化させることによって、特別な構造を付加することなく、簡便な構造で任意のスライド位置におけるスライド荷重を自由に制御することができるとともに、軽快なスライド感と高級感のある重厚なスライド感を両立させることができる。
【発明を実施するための最良の形態】
【００２１】
次に、本発明の携帯用端末装置の好適な実施の形態について、図面に基づいて説明する。なお、本発明は、その技術的特徴を有する範囲を包含し、以下に示す図面等に限定されない。
【００２２】
以下に説明する実施の形態は、携帯用端末装置に対して本願発明を適用した場合の実施形態である。
【００２３】
〔第１実施形態〕
はじめに、図１〜図８を用いて本発明に係る携帯用端末装置の第１実施形態について説明する。
【００２４】
まず、図１及び図２を用いて本実施形態の外観構成について説明する。なお、図１は、本実施形態のスライド格納状態における携帯用端末装置の斜視図であり、図２は、本実施形態のスライド展開状態における携帯用端末装置の斜視図である。
【００２５】
本実施形態の携帯用端末装置１００は、図１及び図２に示すように、表示部１１１を有し、正面に対して上部となる筐体（以下、「上筐体」という。）１１０と、操作部１２１を有し、当該正面に対して下部となる筐体（以下、「下筐体」という。）１２０と、上筐体１１０及び下筐体１２０を接合し、各筐体の長手方向に沿って当該各筐体を相互にスライドさせるスライド機構２００と、を備えている。
【００２６】
上筐体１１０は、正面中央上部に、操作時、通信時又は所定のプログラムの起動時に必要な表示を行う表示部１１１を備えており、下筐体１２０が当該上筐体１１０の背面部分に格納された状態（以下、「スライド格納状態」という。）及び当該下筐体１２０がスライドされて露出された状態（以下、「スライド展開状態」という。）の各スライド状態にかかわらず、常に、表示部１１１を正面前面に提供するようになっている。
【００２７】
なお、本実施形態の上筐体１１０においては、表示部１１１の上端部と上筐体１１０の上端部との間に電話や音を拡声するスピーカが設けられていてもよいし、表示部１１１の下端部と上筐体１１０の下端部との間に、下筐体１２０に設けられた操作部１２１とは別の働きをする操作部１２１分が設けられていてもよい。
【００２８】
下筐体１２０は、スライド格納状態においては、上筐体１１０の背面にその全てが格納されるとともに、スライド展開状態においては、当該下筐体１２０の上部の一部を除き、露出される構造を有している。特に、この下筐体１２０は、スライド展開状態時にユーザによって操作可能に配設された操作部１２１を有している。
【００２９】
なお、本実施形態の下筐体１２０においては、当該下筐体１２０の下端部と操作部１２１の下端部との間に電話などに使用するマイクロホン部が設けられていてもよいし、さらに下筐体１２０部の右側面部に、当該携帯用端末装置１００をスライド展開状態とする際にスライド操作される操作レバーと、カメラ機能のシャッタボタン等が設けられていてもよい。
【００３０】
スライド機構２００は、上筐体１１０の筐体枠と下筐体１２０の各筐体枠に設けられ、スライド展開状態において表示部１１１と操作部１２１が所定の角度となるような（望ましくは約１６８°）スライド軌道を有している。また、このスライド機構２００は、上筐体１１０及び下筐体１２０を接合しつつ、各筐体を相互にスライド可能な構造を有している。
【００３１】
なお、このようなスライド機構２００を有することによって、スライド展開状態に操作をしながら表示を見る作業において表示部１１１が見やすくなり視認性及び操作性を向上させることができるようになっている。
【００３２】
次に、図３から図６までの各図を用いて本実施形態のスライド機構２００について説明する。なお、図３は、本実施形態の携帯用端末装置１００におけるスライド機構２００の各筐体を含めた構成を示す透視図であり、図４は、本実施形態の携帯用端末装置１００におけるスライド機構２００のみを抽出した図である。また、図５は、本実施形態におけるスライド機構２００のスライド方向に直交する方向の断面図であり、図６は、図５に示すスライド機構２００の断面図における拡大図である。
【００３３】
本実施形態のスライド機構２００は、図３及び図４に示すように、複数のボールが組み込まれ長手方向の左右に配設されるボールアンドリテーナ２３０と、下筐体１２０の筐体枠に固定され、ボールをガイドするためのＭガイド２１０と、上筐体１１０の筐体枠に固定され、Ｍガイド２１０の反対方向から各ボールをガイドするためのＲガイド２２０と、から構成される。
【００３４】
ボールアンドリテーナ２３０は、筐体左右において対面するＭガイド２１０及びＲガイド２２０内の長手方向に沿って湾曲しつつ設けられている。また、ボールアンドリテーナ２３０は、筐体の短辺方向（以下、単に「短辺方向」という。）に薄肉板金に複数の穴が設けられ、その穴の周囲に複数の爪（図示なし）を設けたボール保持具であるリテーナ２３１と、例えば、直径約１．６ｍｍ〜１．７ｍｍの複数の鋼球ボール（以下、「転動ボール」という。）２３２と、から構成される。
【００３５】
また、このボールアンドリテーナ２３０は、Ｍガイド２１０よりも長く、Ｒガイド２２０よりも短い構造を有し、各穴にて爪によって抜けないように（すなわち、各穴に嵌め込まれて）回転自在にかつ転動可能に転動ボール２３２を保持するようになっている。
【００３６】
なお、各転動ボール２３２は、各ガイドに設けられた溝（後述するＭガイド溝とRガイド溝）の各々と1点以上で接して、スライド方向に並んで（すなわち、ガイド溝に沿って）配設される。また、爪および穴とボールの間にはボールが転動自由な状態であるようにクリアランスが設けられている。
【００３７】
Ｍガイド２１０は、Ｒガイド２２０より短く、例えば、約２０ｍｍの全長を有し、金属板金（ＳＵＳ等）により構成されており、所定の曲率で曲げ及び絞り成型にて形成されている。そして、このＭガイド２１０は、正面軸に直交し、且つ、筐体の短辺方向の外側方向に開口され、各転動ボール２３２が一軌道に乗って転動可能となる溝（以下、「Ｍガイド溝」という。）２１１を有している。
【００３８】
また、Ｍガイド２１０は、図５及び図６に示すように、下筐体１２０に固定されており、下筐体１２０とインサート成型によって一体成形されている。特に、Ｍガイド溝２１１は、Ｒ筐体の領域に懸かり、ボールを介してＲガイド２２０（すなわち、後述するＲガイド溝２２１）と勘合され、上筐体１１０と下筐体１２０を連結させるようになっている。
【００３９】
Ｒガイド２２０は、Ｍガイド２１０より長く、例えば、約８０ｍｍの全長を有し、金属板金（ＳＵＳ等）により構成されており、所定の曲率で曲げ及び絞り成型にて形成されている。そして、このＲガイド２２０は、正面軸に直交し、且つ、筐体の短辺方向の内側方向に開口され、各転動ボール２３２が一軌道に乗って転動可能となる溝（以下、「Ｒガイド溝」という。）２２１を有している。
【００４０】
また、Ｒガイド２２０は、図５及び図６に示すように、上筐体１１０に固定されており、例えば、下筐体１２０とインサート成型によって一体成形されている。特に、Ｒガイド溝２２１は、上筐体１１０の内部に設けられており、ボールを介してＭガイド２１０（すなわち、Ｍガイド溝２１１）と勘合され、上筐体１１０と下筐体１２０を連結させるようになっている。
【００４１】
なお、後述するように、Ｍガイド２１０及びＲガイド２２０は、このような構成にてスライド軌道を湾曲させることを実現しているが、この曲率を変えることによって軌道を直線、曲線又は直線及び曲線と自由に変えることが可能である。
【００４２】
次に、図７及び図８を用いて本実施形態のスライド機構２００におけるボールアンドリテーナ２３０、Ｍガイド２１０及びＲガイド２２０の各位置関係とその効果について説明する。
【００４３】
なお、図７は、スライド位置によるボールアンドリテーナ２３０とＭガイド２１０、Ｒガイド２２０の位置関係を模式的に示した図であり、図８は、本実施形態の効果を説明するための図である。
【００４４】
スライド展開状態においては、図７（ａ）に示すように、Ｍガイド２１０、Ｒガイド２２０及びボールアンドリテーナ２３０の一端は同じ位置にある。また、スライド格納状態においては、図７（ｄ）に示すように、Ｍガイド２１０、Ｒガイド２２０及びボールアンドリテーナ２３０の他の一端が同じ位置となる。
【００４５】
一方、図７（ｂ）及び（ｃ）に示すように、スライド展開状態からスライド格納状態に移行する際に、Ｍガイド２１０に対するボールアンドリテーナ２３０の移動量は、Ｍガイド２１０に対するＲガイド２２０の移動量の半分となる。ボールとＭガイド２１０、Ｒガイド２２０の位置関係は、転動ボール２３２とＭガイド２１０、Ｒガイド２２０の間で滑りが発生しない限り（すなわち、転動ボール２３２がＭガイド２１０、Ｒガイド２２０上を転動している限り）変わらない。
【００４６】
すなわち、本実施形態の携帯用端末装置１００は、図８に示すように、ボールの位置とＭガイド２１０の位置関係がスライド位置によって一対一で定まるため、所望のスライド位置におけるＭガイド２１０とＲガイド２２０に挟まるボールの径を大きくすると、Ｍガイド２１０が撓むことによって変形３００が発生することとなる。そして、この変形３００によって発生する復元力３０１により、所望のスライド位置においてボールへの与圧が増し、スライド荷重は与圧と転動する転動ボール２３２径によって決まる転がり抵抗に相関するので、スライド状態におけるスライド荷重が増すことになる。
【００４７】
具体的には、転がり抵抗Ｐと与圧Ｎと転動ボール２３２半径ｒとの関係は、一般式として（式１）にて示され、仮に、転動ボール２３２の半径ｒが１．６ｍｍから１．６２ｍｍに変化した場合に与圧Ｎが２ｋｇｆから３ｋｇｆに変化したとすると、スライド荷重は約１．５倍となる。なお、与圧Ｎは、Ｍガイド２１０及びＲガイド２２０の撓み剛性と撓み量によって決まる。
【００４８】
Ｐ＝ｆＮ／ｒ    （但し、ｆは転がり摩擦係数を示す。）    …（式１）
【００４９】
したがって、本実施形態の携帯用端末装置１００は、このようにスライド機構２００を構成するボールを利用することによって特別な構造を付加することなく、簡便な構造で任意のスライド位置におけるスライド荷重を自由に制御することができるようになっている。
【００５０】
以上のように、本実施形態の携帯用端末装置１００は、任意のスライド位置において一意的にその位置が決まる転動ボールの径を変化させることより、転動ボール２３２を狭持する少なくとも一つのガイド部材が元の状態、すなわち、転動ボール２３２を狭持する前の形状に戻ろうとする力を示す復元力３０１を変化させ、当該ガイド部材における転動ボール２３２への圧力を変化させることができる。
【００５１】
通常、筐体をスライドさせた際にユーザが感じる指標の一つとして用いられるスライド荷重は、各転動ボール２３２と各ガイド部材の接点に加わる荷重、すなわち、転動ボール２３２が受けている与圧と転動ボール２３２の径によって決まる転がり抵抗に相関する。また、下筐体１２０に対して上筐体１１０をスライドさせると転動ボール２３２は転動するため、任意のスライド位置におけるボール位置は、各ガイド部材に対して一対一にて定まることとなる。
【００５２】
したがって、本実施形態の携帯用端末装置１００は、転動ボール２３２の径を大きくすれば転動ボール２３２への与圧を大きくさせ、スライド荷重を大きくすることができるとともに、逆に転動ボール２３２の径を小さくすれば、スライド荷重を小さくなることができるので、転動ボール２３２の径を大から徐々に小、小から徐々にスライド方向に沿って変化させることにより、スライドを開始した際には重く、スライドが進むにつれて徐々に軽くなり、中央付近を過ぎると再び徐々に重くなるといったスライド感をユーザに提供することができる。
【００５３】
この結果、本実施形態の携帯用端末装置１００は、転動ボール２３２の径を変化させることによって、特別な構造を付加することなく、簡便な構造で任意のスライド位置におけるスライド荷重を自由に制御することができるとともに、軽快なスライド感と高級感のある重厚なスライド感を両立させることができる。
【００５４】
〔第２実施形態〕
次に、図９から図１７の各図を用いて本発明に係る携帯用端末装置の第２実施形態について説明する。
【００５５】
本実施形態の携帯用端末装置は、第１実施形態のスライド機構に代えて、ボールアンドリテーナを隠蔽するための構造を備えたスライド機構を有する点に特徴があり、その他の構成を第１実施形態と同様である。なお、本実施形態においては、上筐体に設けられた表示部が全面に構成されているものとして説明する。
【００５６】
まず、図９及び図１０を用いて本実施形態の外観構成について説明する。なお、図９は、本実施形態のスライド格納状態における携帯用端末装置１００の斜視図であり、図１０は、本実施形態のスライド展開状態における携帯用端末装置１００の斜視図である。
【００５７】
本実施形態の携帯用端末装置１００は、図９及び図１０に示すように、表示部１１１を有し、正面に対して上部となる上筐体１１０と、操作部１２１を有し、当該正面に対して下部となる下筐体１２０と、上筐体１１０及び下筐体１２０を接合し、各筐体の長手方向に沿って当該各筐体を相互にスライドさせるスライド機構２００と、を備えている。
【００５８】
上筐体１１０は、全面に、操作時、通信時又は所定のプログラムの起動時に必要な表示を行う表示部１１１を備えており、下筐体１２０が当該上筐体１１０の背面部分に格納されたスライド格納状態及び当該下筐体１２０がスライドされて露出されたスライド展開状態の各スライド状態にかかわらず、常に、表示部１１１を正面前面に提供するようになっている。
【００５９】
また、本実施形態の上筐体１１０は、正面側の筐体を構成する上筐体フロント１１２と、フロント筐体とは反対側の面で下筐体１２０側の筐体を構成する上筐体リア１１３と、から構成される（後述の図１４参照）。
【００６０】
下筐体１２０は、スライド格納状態においては、上筐体１１０の背面部にその全てが格納されるとともに、スライド展開状態においては、当該下筐体１２０の上部の一部を除き、露出される構造を有している。特に、この下筐体１２０は、スライド展開状態時にユーザによって操作可能に配設された操作部１２１を有している。
【００６１】
また、本実施形態の下筐体１２０は、上筐体１１０側の筐体を構成する下筐体フロント１２２と、フロント筐体とは反対側の面の筐体を構成する下筐体リア１２３と、から構成される（後述の図１４参照）。
【００６２】
なお、本実施形態の下筐体１２０においては、当該下筐体１２０の下端部と操作部１２１の下端部との間に電話などに使用するマイクロホン部が設けられていてもよいし、さらに下筐体１２０部の右側面部に、当該携帯用端末装置１００をスライド展開状態とする際にスライド操作される操作レバーと、カメラ機能のシャッタボタン等が設けられていてもよい。
【００６３】
スライド機構２００は、上筐体１１０の筐体枠と下筐体１２０の各筐体枠の内部に設けられ、スライド展開状態において表示部１１１と操作部１２１が所定の角度となるような（望ましくは約１６８°）スライド軌道を有している。また、このスライド機構２００は、上筐体１１０及び下筐体１２０を接合しつつ、各筐体を相互にスライド可能な構造を有している。
【００６４】
なお、このようなスライド機構２００を有することによって、スライド展開状態に操作部１２１にて操作をしながら表示部１１１を容易にみることができ、視認性及び操作性を向上させることができる。
【００６５】
次に、図１１から図１６までの各図を用いて本実施形態のスライド機構２００について説明する。
【００６６】
なお、図１１は、本実施形態の携帯用端末装置１００におけるスライド機構２００の各筐体を含めた構成を示す透視図であり、図１２は、本実施形態の携帯用端末装置１００におけるスライド機構２００のみを抽出した図である。また、図１３は、本実施形態におけるスライド機構２００のスライド方向に直交する方向の断面図であり、図１４は、図１３に示すスライド機構２００の断面図における拡大図である。さらに、図１５は、本実施形態のローラ機構２４０の展開図であり、図１６は、本実施形態の携帯用端末装置１００における第１実施形態の携帯用端末装置１００との比較図である。
【００６７】
本実施形態のスライド機構２００は、図１１及び図１２に示すように、複数のボールが組み込まれ長手方向に配設されるボールアンドリテーナ２３０と、下筐体１２０の筐体枠に固定され、ボールをガイドするためのＭガイド２１０と、上筐体１１０の筐体枠に固定され、Ｍガイド２１０の反対方向から各ボールをガイドするためのＲガイド２２０と、Ｒガイド２２０を支持するローラ機構２４０と、から構成される。
【００６８】
ボールアンドリテーナ２３０は、筐体左右において対面するＭガイド２１０及びＲガイド２２０内の長手方向に沿って湾曲しつつ設けられている。また、ボールアンドリテーナ２３０は、筐体の短辺方向（以下、単に「短辺方向」という。）に薄肉板金に複数の穴が設けられ、その穴の周囲に複数の爪（図示なし）を設けたボール保持具であるリテーナ２３１と、例えば、直径約１．６ｍｍ〜１．７ｍｍの複数の転動ボール２３２と、から構成される。
【００６９】
また、このボールアンドリテーナ２３０は、Ｍガイド２１０よりも長く、Ｒガイド２２０よりも短い構造を有し、各穴にて爪によって抜けないように（すなわち、各穴に嵌め込まれて）回転自在にかつ転動可能に転動ボール２３２を保持するようになっている。
【００７０】
なお、各転動ボール２３２は、各ガイドに設けられた溝（後述するＭガイド溝とRガイド溝）の各々と1点以上で接して、スライド方向に並んで（すなわち、ガイド溝に沿って）配設される。また、爪および穴とボールの間にはボールが転動自由な状態であるようにクリアランスが設けられている。
【００７１】
Ｍガイド２１０は、Ｒガイド２２０より短く、例えば、約２０ｍｍの全長を有し、金属板金（ＳＵＳ等）により構成されており、所定の曲率で曲げ及び絞り成型にて形成されている。そして、このＭガイド２１０は、背面方向に向けて開口され、各転動ボール２３２が一軌道に乗って転動可能となるＭガイド溝２１１を有している。
【００７２】
また、Ｍガイド２１０は、図１３及び図１４に示すように、下筐体１２０に固定されており、下筐体リア１２３とインサート成型によって一体成形されている。特に、Ｍガイド溝２１１は、Ｒ筐体の領域に懸かり、ボールを介してＲガイド２２０（すなわち、後述するＲガイド溝２２１）と勘合され、上筐体１１０と下筐体１２０を連結させるようになっている。
【００７３】
特に、本実施形態のＭガイド溝２１１は、下筐体リア１２３と後述するローラブラケット２４３に挟み込まれて所定の取り付け位置（以下、「下筐体取り付け位置」という。）にてねじ（図示なし）固定されるようになっている。そして、このＭガイド溝２１１は、転動ボール２３２を介してＲガイド２２０（すなわち、Ｒガイド溝２２１）と勘合され、上筐体１１０と下筐体１２０を連結させるようになっている。
【００７４】
Ｒガイド２２０は、Ｍガイド２１０より長く、例えば、約８０ｍｍの全長を有し、金属板金（ＳＵＳ等）により構成されており、所定の曲率で曲げ及び絞り成型にて形成されている。そして、このＲガイド２２０は、正面方向に開口され、各転動ボール２３２が一軌道に乗って転動可能となるＲガイド溝２２１を有している。
【００７５】
また、Ｒガイド２２０は、図１３及び図１４に示すように、上筐体１１０に固定されており、例えば、上筐体リア１１３とインサート成型によって一体成形されている。また、このＲガイド溝２２１は、上筐体１１０の内部に設けられ、表示部１１１と対面するように配置されるとともに、転動ボール２３２を介してＭガイド２１０（すなわち、Ｍガイド溝２１１）と勘合され、上筐体１１０と下筐体１２０を連結させるようになっている。
【００７６】
特に、本実施形態のＲガイド２２０は、正面方向に当該Ｒガイド２２０の位置を保持するために当該Ｒガイド溝２２１とは反対側から、すなわち、下筐体１２０側からローラ機構２４０にて支持される構造を有する。
【００７７】
なお、後述するように、Ｍガイド２１０及びＲガイド２２０は、このような構成にてスライド軌道を湾曲させることを実現しているが、この曲率を変えることによって軌道を直線、曲線又は直線及び曲線と自由に変えることが可能である。
【００７８】
ローラ機構２４０は、図１５に示すように、Ｒガイド２２０に接し、転動可能に回転するローラ２４１と、ローラ２４１の回転軸となるローラ軸２４２と、ローラ２４１が転動する溝を有するプレート２４６と、ローラ２４１を保持するローラブラケット２４３と、から構成される。
【００７９】
ローラ２４１は、金属または樹脂等で形成された円筒形状のもので、ローラ軸２４２を挿入する穴が円筒と同軸に形成されている。特に、この穴は、ローラ軸を挿入した際にローラがガタつきなく滑らかに回転できるような大きさにて形成される。なお、より円滑な回転を求める場合は、ローラ２４１に小径のボールベアリングを用いるとよい。
【００８０】
ローラ軸２４２は、プレート２４６によって支持され、支持方向と直交する方向にはローラブラケット２４３の切り溝によってその位置が決められるようになっている。
【００８１】
プレート２４６は、金属（アルミ、ＳＵＳ、マグネシウム等）にて形成されており、図１４に示すように、ローラブラケット２４３を下筐体リア１２３の取り付け位置に締結する際、Ｍリアとローラブラケット２４３の間に設けられている。
【００８２】
また、このプレート２４６においては、ローラ２４１がＲガイド２２０に接するようにその厚みが定められている。そして、プレート２４６にはローラ２４１がＲガイド２２０とローラ軸２４２以外には接しないように空間が設けられている。
【００８３】
ローラブラケット２４３は、プレート２４６と同様に、金属（アルミ、ＳＵＳ、マグネシウム等）で形成され、ローラ２４１を勘合するための面と、下筐体リア１２３に取り付けられるための当該下筐体リア１２３側に開口された溝を有する面の２段構造を有している。特に、ローラブラケット２４３は、ローラ２４１を勘合するとともに、当該ローラ軸２４２を支えるための所定の形状を有する穴部を複数備えている。
【００８４】
なお、本実施形態では、この様なスライド構造を有することによって、図１６（ａ）に示すように、第１実施形態において、ボールアンドリテーナ２３０がスライド展開状態の上筐体１１０の背面における隙間から露出してしまうのに対して、図１６（ｂ）に示すように、Ｒガイド２２０にて転動ボール２３２アンドリテーナ２３０を隠蔽することができるようになっている。
【００８５】
次に、図１７を用いて本実施形態のスライド機構２００における効果について説明する。なお、図１７は、本実施形態の効果を説明するための図である。
【００８６】
本実施形態においては、図１７に示すように、転動ボール２３２の位置とＭガイド２１０の位置関係は、スライド位置によって一対一で決まるため、所望のスライド位置におけるＭガイド２１０とＲガイド２２０に挟まる転動ボール２３２の径を大きくすると、Ｍガイド２１０が撓む（すなわち、狭持する）ことによって変形３００が発生することとなる。さらに、この変形３００によって発生する復元力３０１により、所望のスライド位置において転動ボール２３２への与圧が増すとともに、スライド荷重は与圧と転動ボール２３２径によって決まる転がり抵抗にほぼ等しいため、スライド荷重が増すこととなる。
【００８７】
以上説明したように、本実施形態の携帯用端末装置１００は、第１実施形態の効果に加えて、スライド機構２００を構成するボールとローラ機構２４０を利用することによって、本来、スライド荷重を制御する機能を有していなかったスライド機構２００にスライド荷重制御機能を持たせることができるので、特別な構造を付加することなく、簡便な構造で任意のスライド位置におけるスライド荷重を自由且つ連続的に制御することが可能となる。
【００８８】
また、本実施形態の携帯用端末装置１００は、各ガイド溝が正面方向又は背面方向になるように（ガイド溝が表示面または操作面に対向するように）各ガイドを配設しているので、Ｒガイド２２０にてボールアンドリテーナ２３０を隠蔽することができるので、ユーザの故意によるアクセス事故を防止することができるようになっている。
【００８９】
すなわち、本実施形態の携帯用端末装置１００は、ローラ機構２４０がないと、転動ボール２３２を挟み込む方向には当該転動ボール２３２があるため拘束できるが、転動ボール２３２から離れる方向ではガイドが外れてしまうため、各ガイドが転動ボール２３２から離れる方向には、当該各ガイドを保持するローラ機構を付加することにより、転動ボール２３２の隠蔽を図っている。
【００９０】
〔第３実施形態〕
次に、図１８から図３９の各図を用いて本発明に係る携帯用端末装置１００の第３実施形態について説明する。
【００９１】
本実施形態においては、第２実施形態のスライド機構のローラ機構を弾性体にて支持した構造を備えた点に特徴があり、その他の構成は第２実施形態と同様である。
【００９２】
まず、図１８及び図１９を用いて本実施形態の外観構成について説明する。なお、図１８は、本実施形態のスライド格納状態における携帯用端末装置１００の斜視図であり、図１９は、本実施形態のスライド展開状態における携帯用端末装置１００の斜視図である。
【００９３】
本実施形態の携帯用端末装置１００は、図１８及び図１９に示すように、複数のボールが組み込まれ長手方向に配設されるボールアンドリテーナ２３０と、下筐体１２０の筐体枠に固定され、ボールをガイドするためのＭガイド２１０と、上筐体１１０の筐体枠に固定され、Ｍガイド２１０の反対方向から各ボールをガイドするためのＲガイド２２０と、Ｒガイド２２０を支持するローラ機構２４０と、から構成される。
【００９４】
上筐体１１０は、全面に、操作時、通信時又は所定のプログラムの起動時に必要な表示を行う表示部１１１を備えており、下筐体１２０が当該上筐体１１０の背面部分に格納されたスライド格納状態及び当該下筐体１２０がスライドされて露出されたスライド展開状態の各スライド状態にかかわらず、常に、表示部１１１を正面前面に提供するようになっている。
【００９５】
また、本実施形態の上筐体１１０は、正面側の筐体を構成する上筐体フロント１１２と、フロント筐体とは反対側の面で下筐体１２０側の筐体を構成する上筐体リア１１３と、から構成される（後述の図２３参照）。
【００９６】
下筐体１２０は、スライド格納状態においては、上筐体１１０の背面部にその全てが格納されるとともに、スライド展開状態においては、当該下筐体１２０の上部の一部を除き、露出される構造を有している。特に、この下筐体１２０は、スライド展開状態時にユーザによって操作可能に配設された操作部１２１を有している。
【００９７】
また、本実施形態の下筐体１２０は、上筐体１１０側の筐体を構成する下筐体フロント１２２と、フロント筐体とは反対側の面の筐体を構成する下筐体リア１２３と、から構成される（後述の図２３参照）。
【００９８】
スライド機構２００は、上筐体１１０の筐体枠と下筐体１２０の各筐体枠の内部に設けられ、スライド展開状態において表示部１１１と操作部１２１が所定の角度となるような（望ましくは約１６８°）スライド軌道を有している。また、このスライド機構２００は、上筐体１１０及び下筐体１２０を接合しつつ、各筐体を相互にスライド可能な構造を有している。
【００９９】
次に、図２０から図２３までの各図を用いて本実施形態のスライド機構２００について説明する。
【０１００】
なお、図２０は、本実施形態の携帯用端末装置１００におけるスライド機構２００の各筐体を含めた構成を示す透視図であり、図２１は、本実施形態の携帯用端末装置１００におけるスライド機構２００のみを抽出した図である。また、図２２は、本実施形態におけるスライド機構２００のスライド方向に直交する方向の断面図であり、図２３は、図２２に示すスライド機構２００の断面図における拡大図である。さらに、図２４は、本実施形態のローラ機構２４０の展開図である。
【０１０１】
本実施形態のスライド機構２００は、図２０及び図２１に示すように、複数のボールが組み込まれ長手方向に配設されるボールアンドリテーナ２３０と、下筐体１２０の筐体枠に固定され、ボールをガイドするためのＭガイド２１０と、上筐体１１０の筐体枠に固定され、Ｍガイド２１０の反対方向から各ボールをガイドするためのＲガイド２２０と、Ｒガイド２２０を支持するローラ機構２４０と、から構成される。
【０１０２】
ボールアンドリテーナ２３０は、筐体左右において対面するＭガイド２１０及びＲガイド２２０内の長手方向に沿って湾曲しつつ設けられている。また、ボールアンドリテーナ２３０は、筐体の短辺方向（以下、単に「短辺方向」という。）に薄肉板金に複数の穴が設けられ、その穴の周囲に複数の爪（図示なし）を設けたボール保持具であるリテーナ２３１と、例えば、直径約１．６ｍｍ〜１．７ｍｍの複数の鋼球ボール（以下、「転動ボール」という。）２３２と、から構成される。
【０１０３】
また、このボールアンドリテーナ２３０は、Ｍガイド２１０よりも長く、Ｒガイド２２０よりも短い構造を有し、各穴にて爪によって抜けないように（すなわち、各穴に嵌め込まれて）回転自在にかつ転動可能に転動ボール２３２を保持するようになっている。
【０１０４】
なお、各転動ボール２３２は、各ガイドに設けられた溝（後述するＭガイド溝とRガイド溝）の各々と1点以上で接して、スライド方向に並んで（すなわち、ガイド溝に沿って）配設される。また、爪および穴とボールの間にはボールが転動自由な状態であるようにクリアランスが設けられている。
【０１０５】
Ｍガイド２１０は、Ｒガイド２２０より短く、例えば、約２０ｍｍの全長を有し、金属板金（ＳＵＳ等）により構成されており、所定の曲率で曲げ及び絞り成型にて形成されている。そして、このＭガイド２１０は、背面方向に向けて開口され、各転動ボール２３２が一軌道に乗って転動可能となるＭガイド溝２１１を有している。
【０１０６】
また、Ｍガイド２１０は、図２２及び図２３に示すように、下筐体１２０に固定されており、下筐体リア１２３とインサート成型によって一体成形されている。特に、Ｍガイド溝２１１は、Ｒ筐体の領域に懸かり、転動ボール２３２を介してＲガイド２２０（すなわち、後述するＲガイド溝２２１）と勘合され、上筐体１１０と下筐体１２０を連結させるようになっている。
【０１０７】
特に、本実施形態のＭガイド溝２１１は、下筐体リア１２３と後述するローラブラケット２４３に挟み込まれて下筐体取り付け位置にてねじ（図示なし）固定されるようになっている。そして、このＭガイド溝２１１は、ボールを介してＲガイド２２０（すなわち、Ｒガイド溝２２１）と勘合され、上筐体１１０と下筐体１２０を連結させるようになっている。
【０１０８】
Ｒガイド２２０は、Ｍガイド２１０より長く、例えば、約８０ｍｍの全長を有し、金属板金（ＳＵＳ等）により構成されており、所定の曲率で曲げ及び絞り成型にて形成されている。そして、このＲガイド２２０は、正面方向に開口され、各転動ボール２３２が一軌道に乗って転動可能となるＲガイド溝２２１を有している。
【０１０９】
また、Ｒガイド２２０は、図２２及び図２３に示すように、上筐体１１０に固定されており、例えば、上筐体リア１１３とインサート成型によって一体成形されている。また、このＲガイド溝２２１は、上筐体１１０の内部に設けられ、表示部１１１と対面するように配置されるとともに、転動ボール２３２を介してＭガイド２１０（すなわち、Ｍガイド溝２１１）と勘合され、上筐体１１０と下筐体１２０を連結させるようになっている。
【０１１０】
特に、本実施形態のＲガイド２２０は、正面方向に当該Ｒガイド２２０の位置を保持するために当該Ｒガイド溝２２１とは反対側から、すなわち、下筐体１２０側からローラ機構２４０にて支持される構造を有する。
【０１１１】
なお、後述するように、Ｍガイド２１０及びＲガイド２２０は、このような構成にてスライド軌道を湾曲させることを実現しているが、この曲率を変えることによって軌道を直線、曲線又は直線及び曲線と自由に変えることが可能である。
【０１１２】
ローラ機構２４０は、図２４に示すように、Ｒガイド２２０に接し、転動可能に回転するローラ２４１と、ローラ２４１の回転軸となるローラ軸２４２と、ローラ２４１が転動する溝を有するプレート２４６と、プレート２４６を支持する弾性体２４４と、ローラ２４１の移動をストップさせるためのストッパプレート２４５と、ローラ２４１を保持するローラブラケット２４３と、から構成される。
【０１１３】
ローラ２４１は、金属または樹脂等で形成された円筒形状のもので、ローラ軸２４２を挿入する穴が円筒と同軸に形成されている。特に、この穴は、ローラ軸を挿入した際にローラがガタつきなく滑らかに回転できるような大きさにて形成される。なお、より円滑な回転を求める場合は、ローラ２４１に小径のボールベアリングを用いるとよい。
【０１１４】
ローラ軸２４２は、プレート２４６、弾性体２４４及びストッパプレート２４５からなる三層にて支持され、支持方向と直交する方向にローラブラケット２４３の切り溝によってその位置が決められるようになっている。なお、このローラ軸２４２は、当該三層にて支持される方向に自在に移動可能に支持される。
【０１１５】
プレート２４６は、金属（アルミ、ＳＵＳ、マグネシウム等）にて形成されており、図２３に示すように、ローラブラケット２４３をＭリアの取り付け位置に締結する際、ローラブラケット２４３と弾性体２４４の間に設けられている。
【０１１６】
弾性体２４４は、例えば、ラバーシート等のエラストマで形成され、締結による圧縮２４８で１ｋｇｆ程度の反発荷重が発生するように厚みが定められている。また、この弾性体２４４は、ローラブラケット２４３をＭリアの取り付け位置に締結する際、プレート２４６とストッパプレート２４５の間に設けられている。
【０１１７】
なお、本実施形態の弾性体２４４は、例えば、コイルばね又は板ばねなどの各種の弾性部材によって形成されていてもよい。
【０１１８】
ローラブラケット２４３は、プレート２４６と同様に、金属（アルミ、ＳＵＳ、マグネシウム等）で形成され、ローラ２４１を勘合するための面と、下筐体リア１２３に取り付けられるための当該下筐体リア１２３側に開口された溝を有する面の２段構造を有している。特に、ローラブラケット２４３は、ローラ２４１を勘合するとともに、当該ローラ軸２４２を支えるための所定の形状を有する穴部を複数備えている。
【０１１９】
ストッパプレート２４５は、金属（アルミ、ＳＵＳ、マグネシウム等）にて形成されており、図２３に示すように、ローラブラケット２４３をＭリアの取り付け位置に締結する際、下筐体リア１２３と弾性体２４４の間に設けられている。
【０１２０】
なお、プレート２４６、弾性体２４４及びストッパプレート２４５の三層は、ローラブラケット２４３を下筐体リア１２３に締結する際、下筐体リア１２３とローラブラケット２４３の間に在り、プレート２４６とストッパプレート２４５の間には弾性体２４４が介在しない空間が０．１ｍｍ以上設けられている。このため、弾性体２４４に外荷重による過度の変形３００が生じようとした場合、プレート２４６は、ストッパプレート２４５に突き当たり必要以上の弾性体２４４の変形３００を抑止するようになっている。また、その際でもローラ２４１は、Ｒガイド２２０とローラ軸２４２以外には接しないように空間が設けられている。
【０１２１】
次に、図２５から図３１までの各図を用いて本実施形態のスライド機構２００におけるボールアンドリテーナ２３０、Ｍガイド２１０及びＲガイド２２０の各位置関係と本実施形態におけるスライド機構２００の効果について説明する。
【０１２２】
なお、図２５は、図１９におおける携帯用端末装置１００の長手方向側面における断面を示す図であり、図２６は、図２５における機構部断面を拡大した図である。また、図２７は、図２５の機構部を抽出した概略図であり、図２８、図２９及び図３０の各図は、図２７の各図のスライド機構２００をそれぞれ拡大した拡大図である。さらに、図３１は、スライド格納状態のスライド機構２００を拡大した拡大図である。
【０１２３】
以下の説明では、図２５及び図２６に示すように、各転動ボール２３２の径を、０．０２ｍｍ刻みで約１．７ｍｍ〜１．６ｍｍまで図面左右それぞれから中央に向けて徐々に小さくするとともに、中心の転動ボール２３２の径が一番小さくなるように一列に並ぶ構成を有するもとして説明する。すなわち、各転動ボール２３２の径（例えば、直径）Ｄが、（式２）のように左右から順に徐々に小さくなり、かつ、転動ボール２３２ａ、転動ボール２３２ｂ、転動ボール２３２ｃ、転動ボール２３２ｄ、転動ボール２３２ｅ、転動ボール２３２ｆ、転動ボール２３２ｆ、転動ボール２３２ｆ、転動ボール２３２ｆ、転動ボール２３２ｅ、転動ボール２３２ｄ、転動ボール２３２ｃ、転動ボール２３２ｂ、転動ボール２３２ａの順に左右に一列に並ぶように構成するものとして説明する。
【０１２４】
Ｄａ＞Ｄｂ＞Ｄｃ＞Ｄｄ＞Ｄｅ＞Ｄｆ          …（式２）
【０１２５】
なお、Ｄａは、転動ボール２３２ａの直径を示し、Ｄｂ、転動ボール２３２ｂの直径を示す。また、同様に、Ｄｃは、転動ボール２３２ａの直径を示し、Ｄｄ、転動ボール２３２ｄの直径を示す。さらに、同様に、Ｄｅは、転動ボール２３２ｅの直径を示し、Ｄｆ、転動ボール２３２ｆの直径を示す。
【０１２６】
スライド展開状態においては、図２７（ａ）に示すように、転動ボール２３２ａ、転動ボール２３２ｂ、転動ボール２３２ｃ、転動ボール２３２ｄ、転動ボール２３２ｅ、転動ボール２３２ｆがＭガイド２１０とＲガイド２２０に勘合される。
【０１２７】
このため、このスライド展開状態においては、図２８に示すように、各転動ボール２３２に対する与圧が最も大きくなり、与圧とスライド荷重の相関関係より、スライド荷重が最も大きい状態となる。すなわち、Ｍガイド溝２１１211、Ｒガイド溝２２１，２２１間に挟まる転動ボール２３２の直径が大きいためにローラ２４１の位置が変化し、弾性体２４４の圧縮２４８ａ及び圧縮２４８ｂの量が大きくなるため、圧縮２４８ａ（または圧縮２４８ｂ）による復元力３０１が増し、与圧が増すこととなるからである。
【０１２８】
例えば、本実施形態のスライド機構２００は、後述する最も小さい状態（図３０）に比べ、圧縮２４８ａされる量が最大で０．１ｍｍ増しとなり、与圧が約１．５ｋｇｆとなるように構成される。この場合において、本実施形態において最も小さい状態（図３０）の与圧を約１ｋｇｆとすると、スライド展開状態における与圧は、約１．５倍となる。
【０１２９】
一方、本実施形態のスライド機構２００において、例えば、図２７（ｂ）に示すように、スライド展開状態からスライド格納状態に移行する際の初期段階には、各転動ボール２３２は、上筐体１１０のスライドに従って転動するため、当該各転動ボール２３２の位置は、各ガイドに対して一対一で定まることとなる。
【０１３０】
このため、Ｒガイド２２０は、リテーナ２３１より長いため常に全てのボールが接するが、Ｍガイド２１０は、リテーナ２３１より短いためスライド位置によって一意的に決まったボールのみが接することとなる。
【０１３１】
なお、スライド展開状態からスライド格納状態に移行する初期段階においては、図２９に示すように、Ｍガイド溝２１１及びＲガイド溝２２１間に挟まる最大径の転動ボール２３２は、転動ボール２３２ｃとなる。
【０１３２】
そして、例えば、本実施形態のスライド機構２００においては、与圧は、後述する最も小さい状態（図３０）に比べ、最大で圧縮２４８ｃの量が０．０６ｍｍ増しとなり、与圧が約１．３ｋｇｆとなるように構成される。この場合において、スライド展開状態からスライド格納状態に移行する初期段階の与圧は、最も小さい状態（図３０）に比べ、約１．３倍となる。
【０１３３】
他方、スライド展開状態からスライド格納状態に移行する際に、スライド機構２００の位置が中央になる場合には、図２７（ｃ）に示すように、与圧とスライド荷重の相関関係より、もっともスライド荷重が小さい状態となる。
【０１３４】
すなわち、Ｒガイド２２０は、リテーナ２３１より長いため常に全てのボールが接するが、Ｍガイド２１０は、リテーナ２３１より短いためスライド位置によって一意的に決まった転動ボール２３２のみが接することとなり、中央位置では、図３０に示すように、転動ボール２３２ｅ及び転動ボール２３２ｆがＭガイド２１０とＲガイド２２０に勘合される。このため、転動ボール２３２がＭガイド溝２１１及びＲガイド溝２２１間に介在することによってローラ２４１の位置が変化し、弾性体２４４が圧縮２４８されるので、この圧縮２４８によって復元力３０１を得て、これが与圧となり、転動ボール２３２に対する与圧が最も小さい状態となるからである。
【０１３５】
例えば、本実施形態のスライド機構２００は、圧縮２４８の量に基づいて、約１ｋｇｆの与圧が発生するように構成される。
【０１３６】
なお、このスライド格納状態においては、スライド展開状態と同様に、図３１に示すように、転動ボール２３２に対する与圧が最も大きくなり、与圧とスライド荷重の相関関係より、スライド荷重が最も大きい状態となる。
【０１３７】
このように、本実施形態においては、スライド展開状態、スライド格納状態及びそれらの移行状態などの各種のスライド状態により、スライド機構２００の位置が変化するに従って、挟まっている転動ボール２３２の直径が変化するため弾性体２４４の圧縮２４８の量が変化し、スライド荷重を決められた位置で決まった量に変化させるようになっている。
【０１３８】
すなわち、本実施形態においては、Ｍガイド２１０及びＲガイド溝２２１間に挟まる転動ボール２３２の径を大から小、生から大と変化させることによって、スライド感においては、スライド展開状態の際には重く、スライド機構２００が中間の位置に徐々に移動して一端軽させるとともに、中間位置からスライド格納状態に移行するにしたがって再度徐々に重くさせ、軽快なスライド感と高級感のある重厚なスライド感の両立を実現している。
【０１３９】
なお、本実施形態において、スライド状態を補助するバネが付加されている場合には、スライド動作速度が開き始めでゆっくりと、中間では早く、開き終わりで再びゆっくりと動作することによってスライド状態の移行に際し衝撃を吸収/緩和する効果も得られることができる。
【０１４０】
以上説明したように、本実施形態の携帯用端末装置１００は、第２実施形態と同様に、スライド機構２００を構成するボールとローラ機構２４０を利用することによって、本来、スライド荷重を制御する機能を有していなかったスライド機構２００にスライド荷重制御機能を持たせることができるので、特別な構造を付加することなく、簡便な構造で任意のスライド位置におけるスライド荷重を自由且つ連続的に制御することが可能となる。
【０１４１】
また、本実施形態の携帯用端末装置１００は、例えば、弾性体２４４にばね（コイルばね、板ばね等）を用いれば、そのばね係数を、また、弾性体２４４にエラストマを用いれば、その厚み、硬度（弾性率）、面積に基づいて、転動ボール２３２における与圧を制御することができきるので、ガイド部材のみによって与圧を制御する場合に比べ、容易に与圧制御が可能となる。
【０１４２】
すなわち、本実施形態の携帯用端末装置１００は、Ｒガイド２２０及びＭガイド２１０の各ガイドにおける撓み量のみによって与圧力を制御する場合に、金属であるガイドの弾性率は大きく（小さな撓みで大きな復元力が発生する）、弾性域が狭い（大きなたわみで塑性変形する）ため、与圧制御をするためには、ガイドに厳密な寸法制度が要求される。しかしながら、本実施形態の携帯用端末装置１００は、弾性体２４４によってその与圧を制御することができるので、ガイド部材のみによって与圧を制御する場合に比べ、容易に与圧制御が可能となる。
【図面の簡単な説明】
【０１４３】
【図１】本発明に係る第１実施形態のスライド格納状態における携帯用端末装置の斜視図である。
【図２】本発明に係る第１実施形態のスライド展開状態における携帯用端末装置の斜視図である。
【図３】第１実施形態の携帯用端末装置におけるスライド機構の各筐体を含めた構成を示す透視図である。
【図４】第１実施形態の携帯用端末装置におけるスライド機構のみを抽出した図である。
【図５】第１実施形態におけるスライド機構のスライド方向に直交する方向の断面図である。
【図６】図５に示すスライド機構の断面図における拡大図である。
【図７】スライド位置によるボールアンドリテーナとＭガイド、Ｒガイドの位置関係を模式的に示した図である。
【図８】第１実施形態の効果を説明するための図である。
【図９】本発明に係る第２実施形態のスライド格納状態における携帯用端末装置の斜視図である。
【図１０】本発明に係る第２実施形態のスライド展開状態における携帯用端末装置の斜視図である。
【図１１】第２実施形態の携帯用端末装置におけるスライド機構の各筐体を含めた構成を示す透視図である。
【図１２】第２実施形態の携帯用端末装置におけるスライド機構のみを抽出した図である。
【図１３】第２実施形態におけるスライド機構のスライド方向に直交する方向の断面図である。
【図１４】図１３に示すスライド機構の断面図における拡大図である。
【図１５】第２実施形態のローラ機構の展開図である。
【図１６】第２実施形態の携帯端末装置における第１実施形態の携帯端末装置との比較図である。
【図１７】第２実施形態の効果を説明するための図である。
【図１８】本発明に係る第３実施形態のスライド格納状態における携帯用端末装置の斜視図である。
【図１９】本発明に係る第３実施形態のスライド展開状態における携帯用端末装置の斜視図である。
【図２０】第３実施形態の携帯用端末装置におけるスライド機構の各筐体を含めた構成を示す透視図である。
【図２１】第３実施形態の携帯用端末装置におけるスライド機構のみを抽出した図である。
【図２２】第３実施形態におけるスライド機構のスライド方向に直交する方向の断面図である。
【図２３】図２２に示すスライド機構の断面図における拡大図である。
【図２４】第３実施形態のローラ機構の展開図である。
【図２５】図１９におおける携帯端末装置の長手方向側面における断面を示す図である。
【図２６】図２５における機構部断面を拡大した図である。
【図２７】図２５の機構部を抽出した概略図である。
【図２８】図２７の各図のスライド機構をそれぞれ拡大した拡大図（Ｉ）である。
【図２９】図２７の各図のスライド機構をそれぞれ拡大した拡大図（II）である。
【図３０】図２７の各図のスライド機構をそれぞれ拡大した拡大図（III）である。
【図３１】第３実施形態におけるスライド格納状態のスライド機構を拡大した拡大図である。
【符号の説明】
【０１４４】
１００…携帯用端末装置
１１０…上筐体
１１１…表示部
１１２…上筐体フロント
１１３…上筐体リア
１２０…下筐体
１２１…操作部
１２２…下筐体フロント
１２３…下筐体リア
１２４…取り付け位置
２００…スライド機構
２１０…Ｍガイド
２１１…Ｍガイド溝
２２０…Ｒガイド
２２１…Ｒガイド溝
２３０…ボールアンドリテーナ
２３１…リテーナ
２３２…ボール
２４０…ローラ機構
２４１…ローラ
２４２…ローラ軸
２４３…プレート
２４４…弾性体
２４５…ストッパプレート
２４６…ローラブラケット
２４７…空間
２４８…圧縮
２４９…切り溝
３００…変形／変位
３０１…復元力
【図１】
2008252801.tif 000003
【図２】
2008252801.tif 000004
【図３】
2008252801.tif 000005
【図４】
2008252801.tif 000006
【図５】
2008252801.tif 000007
【図６】
2008252801.tif 000008
【図７】
2008252801.tif 000009
【図８】
2008252801.tif 000010
【図９】
2008252801.tif 000011
【図１０】
2008252801.tif 000012
【図１１】
2008252801.tif 000013
【図１２】
2008252801.tif 000014
【図１３】
2008252801.tif 000015
【図１４】
2008252801.tif 000016
【図１５】
2008252801.tif 000017
【図１６】
2008252801.tif 000018
【図１７】
2008252801.tif 000019
【図１８】
2008252801.tif 000020
【図１９】
2008252801.tif 000021
【図２０】
2008252801.tif 000022
【図２１】
2008252801.tif 000023
【図２２】
2008252801.tif 000024
【図２３】
2008252801.tif 000025
【図２４】
2008252801.tif 000026
【図２５】
2008252801.tif 000027
【図２６】
2008252801.tif 000028
【図２７】
2008252801.tif 000029
【図２８】
2008252801.tif 000030
【図２９】
2008252801.tif 000031
【図３０】
2008252801.tif 000032
【図３１】
2008252801.tif 000033